(57)【要約】【課題】デジタル放送におけるチャンネル切り替え時に発生するミュート状態を短くするテレビジョン受像機を提供する。【解決手段】選択手段による別のチャンネルへの切り替えに基づいて、受信手段によるチャンネル切り替え前の映像情報および音声情報の受信を中止し、チャンネル切り替え後の映像情報および音声情報の受信を設定し、前記チャンネル切り替え後の映像情報および音声情報をそれぞれ映像処理手段および音声処理手段で出力形式に変換して出力するまで、前記映像処理手段および前記音声処理手段にそれぞれ保存されている前記チャンネル切り替え前の映像情報および音声情報を出力する制御手段とを有する。【選択図】      図３
2008311865.tif 000002
【特許請求の範囲】
【請求項１】
チャンネルを選択する選択手段と、
前記選択手段で選択されたチャンネルに対応する映像情報および音声情報を受信する受信手段と、
前記受信手段で受信した前記映像情報を出力形式に変換して一時的に保存し、所定のタイミングで順次出力する映像処理手段と、
前記受信手段で受信した前記音声情報を出力形式に変換して一時的に保存し、所定のタイミングで順次出力する音声処理手段と、
前記選択手段による別のチャンネルへの切り替えに基づいて、前記受信手段によるチャンネル切り替え前の映像情報および音声情報の受信を中止し、チャンネル切り替え後の映像情報および音声情報の受信を設定し、前記チャンネル切り替え後の映像情報および音声情報をそれぞれ前記映像処理手段および前記音声処理手段で出力形式に変換して出力するまで、前記映像処理手段および前記音声処理手段にそれぞれ保存されている前記チャンネル切り替え前の映像情報および音声情報を出力する制御手段と、
を有することを特徴とするテレビジョン受像機。
【請求項２】
前記制御手段は、前記映像処理手段に保存されている前記チャンネル切り替え前の映像情報および前記音声処理手段に保存されている前記チャンネル切り替え前の音声情報を出力する時間が、チャンネルの切り替えに基づいて前記映像出力手段および前記音声出力手段が前記チャンネル切り替え後の映像情報および音声情報を出力するまでの時間よりも短い場合、前記チャンネル切り替え前の映像情報および前記チャンネル切り替え前の音声情報の出力後に、前記チャンネル切り替え前の音声情報はミュートし、前記チャンネル切り替え前の映像情報の最後の静止画像を出力することを特徴とする請求項１記載のテレビジョン受像機。
【請求項３】
前記制御手段は、前記映像処理手段に保存されている前記チャンネル切り替え前の映像情報および前記音声処理手段に保存されている前記チャンネル切り替え前の音声情報の出力中に、前記チャンネル切り替え前の映像情報とともにチャンネル切り替え中である旨を示す文字情報を出力することを特徴とする請求項１記載のテレビジョン受像機。
【請求項４】
前記制御手段は、前記映像処理手段に保存されている前記チャンネル切り替え前の映像情報および前記音声処理手段に保存されている前記チャンネル切り替え前の音声情報の出力を徐々にフェードアウトさせることを特徴とする請求項１記載のテレビジョン受像機。
【請求項５】
チャンネルを選択し、
選択されたチャンネルに対応する映像情報および音声情報を受信し、
受信した前記映像情報を出力形式に変換して一時的に保存し、所定のタイミングで順次出力し、
受信した前記音声情報を出力形式に変換して一時的に保存し、所定のタイミングで順次出力し、
別のチャンネルへの切り替えに基づいて、チャンネル切り替え前の映像情報および音声情報の受信を中止し、チャンネル切り替え後の映像情報および音声情報の受信を設定し、前記チャンネル切り替え後の映像情報および音声情報を出力する出力形式に変換して出力するまで、前記チャンネル切り替え前の映像情報および音声情報を出力する、
ことを特徴とするテレビジョン受像方法。
【発明の詳細な説明】
【技術分野】
【０００１】
本発明は、デジタル放送を受信するテレビジョン受像機に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
このような各種放送を受信するデジタルテレビでは、ネットワークとも接続され、インターネットで情報を取得し、画面に表示することも可能となっている。
【０００４】
デジタルテレビでは、チャンネルの切り替え字にユーザがチャンネル番号を入力すると、制御部はチューナを入力されたチャンネルの放送に対応するように切り替えるとともにＰＡＴ（Program Association Table）で番組番号ごとの情報を載せるテーブルであるＰＭＴ（Program Map Table）のＰＩＤ（プロセス識別子）を指定することで、チャンネルを切り替えている。
【０００５】
特許文献１には、所定のチャンネルの番組の画像を表示している状態において、他の番組への切り替え時には、現在受信しているチャンネルの番組の画像を静止画とし、音声をミュートする。そして、チャンネル切り替えの処理が完了したとき、設定された静止画とミュートを解除する構成が開示されている。
【特許文献１】特開２００３―３３３４４６号公報
【発明の開示】
【発明が解決しようとする課題】
【０００６】
しかしながら、特許文献１では、チャンネル切り替え中は静止画が表示され、音声がミュートされているが、デジタル放送におけるチャンネル切り替えは、アナログ放送のチャンネル切り替えに比べて時間がかかるため、ユーザは、長い間チャンネル切り替え待ち状態となる問題があった。
【０００７】
本発明は、上記事情を鑑みてなされたものであって、目的とするところは、デジタル放送におけるチャンネル切り替え時に発生するミュート状態を短くするテレビジョン受像機を提供することにある。
【課題を解決するための手段】
【０００８】
上記課題を解決し目的を達成するために、本発明のテレビジョン受像機は、チャンネルを選択する選択手段と、前記選択手段で選択されたチャンネルに対応する映像情報および音声情報を受信する受信手段と、前記受信手段で受信した前記映像情報を出力形式に変換して一時的に保存し、所定のタイミングで順次出力する映像処理手段と、前記受信手段で受信した前記音声情報を出力形式に変換して一時的に保存し、所定のタイミングで順次出力する音声処理手段と、前記選択手段による別のチャンネルへの切り替えに基づいて、前記受信手段によるチャンネル切り替え前の映像情報および音声情報の受信を中止し、チャンネル切り替え後の映像情報および音声情報の受信を設定し、前記チャンネル切り替え後の映像情報および音声情報をそれぞれ前記映像処理手段および前記音声処理手段で出力形式に変換して出力するまで、前記映像処理手段および前記音声処理手段にそれぞれ保存されている前記チャンネル切り替え前の映像情報および音声情報を出力する制御手段とを有する。
【発明の効果】
【０００９】
本発明によれば、ユーザがチャンネルを切り替えたときに、表示装置に表示する画面のミュート時間を短くすることができるので、ユーザは、チャンネルの切り替えによる体感時間が短くなるため、チャンネル切り替え時の体感時間が短くなり、番組視聴時に感じる不便を低減することができる。
【発明を実施するための最良の形態】
【００１０】
以下、この発明の一実施例について図面を参照して詳細に説明する。図１は、テレビジョン受像機１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１１】
そして、このチューナ４５で選局された放送信号は、ＰＳＫ（phase shift keying）復調器４６に供給されて、デジタルの映像信号及び音声信号に復調された後、信号処理部４７に出力される。
【００１２】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１３】
そして、このチューナ５０で選局された放送信号は、ＯＦＤＭ（orthogonal frequency division multiplexing）復調器５１に供給されて、デジタルの映像信号及び音声信号に復調された後、上記信号処理部４７に出力される。
【００１４】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されて、アナログの映像信号及び音声信号に復調された後、上記信号処理部４７に出力される。
【００１５】
さらに、上記信号処理部４７には、複数（図示の場合は４つ）の入力端子５４ａ，５４ｂ，５４ｃ，５４ｄが接続されている。これら入力端子５４ａ〜５４ｄは、それぞれ、アナログの映像信号及び音声信号を、情報通信端末１１の外部から入力可能とするものである。
【００１６】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施している。
【００１７】
また、この信号処理部４７は、上記アナログ復調器５３及び各入力端子５４ａ〜５４ｄからそれぞれ供給されたアナログの映像信号及び音声信号を選択的にデジタル化し、そのデジタル化された映像信号及び音声信号に対して所定のデジタル信号処理を施している。
【００１８】
この信号処理部４７が行なうデジタル信号処理としては、例えば、映像信号に対するＭＰＥＧデコード処理、このＭＰＥＧデコード処理に伴なって発生するモスキートノイズを削減するＭＰＥＧノイズリダクション処理、映像信号にＯＳＤ用のデジタルグラフィックスデータ（以下、ＯＳＤ信号という）を重畳する処理、映像信号に対するスケーリング処理、音声信号に対するデコード処理等がある。
【００１９】
そして、信号処理部４７から出力されたデジタルの映像信号は、映像処理部５５に供給される。この映像処理部５５は、入力されたデジタルの映像信号を、前記映像表示器１４で表示可能なフォーマットのアナログ映像信号に変換した後、映像表示器１４に出力して映像表示させるとともに、出力端子５６を介して外部に導出させる。
【００２０】
また、信号処理部４７から出力されたデジタルの音声信号は、音声処理部５７に供給される。この音声処理部５７は、入力されたデジタルの音声信号を、前記スピーカ１５で再生可能なフォーマットのアナログ音声信号に変換した後、スピーカ１５に出力して音声再生させるとともに、出力端子５８を介して外部に導出させる。
【００２１】
ここで、この情報通信端末１１は、上記した各種の受信動作を含むその全ての動作を制御部５９によって統括的に制御されている。この制御部５９は、ＣＰＵ（central processing unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００２２】
この場合、制御部５９は、主として、そのＣＰＵが実行する制御プログラムを格納したＲＯＭ（read only memory）６０と、該ＣＰＵに作業エリアを提供するＲＡＭ（random access memory）６１と、各種の設定情報及び制御情報等が格納される不揮発性メモリ６２とを利用している。
【００２３】
また、この制御部５９は、カードＩ／Ｆ（Interface）６３を介して、前記第１のメモリカード１９が装着可能なカードホルダ６４に接続されている。これによって、制御部５９は、カードホルダ６４に装着された第１のメモリカード１９と、カードＩ／Ｆ６３を介して情報伝送を行なうことができる。
【００２４】
さらに、上記制御部５９は、カードＩ／Ｆ６５を介して前記第２のメモリカード２０が装着可能なカードホルダ６６に接続されている。これによって、制御部５９は、カードホルダ６６に装着された第２のメモリカード２０と、カードＩ／Ｆ６５を介して情報伝送を行なうことができる。
【００２５】
また、上記制御部５９は、通信Ｉ／Ｆ６７を介して第１のＬＡＮ端子２１に接続されている。これにより、制御部５９は、第１のＬＡＮ端子２１に接続されたＬＡＮ対応のＨＤＤ２５と、通信Ｉ／Ｆ６７を介して情報伝送を行なうことができる。この場合、制御部５９は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００２６】
さらに、上記制御部５９は、情報の取得手段としての通信Ｉ／Ｆ６８を介して第２のＬＡＮ端子２２に接続されている。これにより、制御部５９は、第２のＬＡＮ端子２２に接続された各機器と、通信Ｉ／Ｆ６８を介して情報伝送を行なうことができる。
【００２７】
また、上記制御部５９は、ＵＳＢ Ｉ／Ｆ６９を介して前記ＵＳＢ端子２３に接続されている。これにより、制御部５９は、ＵＳＢ端子２３に接続された各機器（図１参照）と、ＵＳＢ Ｉ／Ｆ６９を介して情報伝送を行なうことができる。
【００２８】
さらに、上記制御部５９は、ＩＥＥＥ１３９４ Ｉ／Ｆ７０を介してＩＥＥＥ１３９４端子２４に接続されている。これにより、制御部５９は、ＩＥＥＥ１３９４端子２４に接続された各機器と、ＩＥＥＥ１３９４ Ｉ／Ｆ７０を介して情報伝送を行なうことができる。
【００２９】
ここで、ユーザが操作部１６またはリモートコントローラ１７を用いてデジタル放送のチャンネルを切り替える場合について説明する。デジタル放送のチャンネルを切り替える場合、チューナにおける選局チャンネルに対応する放送信号の受信設定と、番組ごとの情報の取得の時間が必要である。
【００３０】
図２は、本実施形態におけるテレビジョン受像機によるチャンネルの切り替えを示すフローチャートである。
【００３１】
はじめに、ユーザが操作部１６またはリモートコントローラ１７を用いて所望のデジタル放送のチャンネルに切り替える（ステップＳ１００）。制御部５９は、操作部１６またはリモートコントローラ１７によって選局されたチャンネルに基づいて、チューナ４５を選局チャンネルに対応する放送信号を受信するように切り替えを開始する。
【００３２】
ここで、映像処理部５５は、チューナ４５で受信したデジタル放送に対応した映像信号を、映像表示器１４で表示可能なフォーマットのアナログ映像信号に変換した後、映像表示器１４に出力して映像表示させている。映像処理部５５は、バッファメモリとしても機能し、映像表示器１４に表示可能なフォーマット信号に変換して一時的に記録し、映像表示器１４に順次出力している。同様に、音声処理部５７は、チューナ４５で受信したデジタル放送に対応した音声信号を、スピーカ１５で出力可能なフォーマットのアナログ音声信号に変換した後、スピーカ１５に出力して音声出力させている。音声処理部５７は、バッファメモリとしても機能し、スピーカ１５に出力可能なフォーマット信号に変換して一時的に記録している。制御部５９は、映像処理部５５および音声処理部５７に対して順次出力するように処理している。映像処理部５５は、チャンネルが切り替えられる前のチャンネルの映像情報を音声処理部５７は音声情報を有している。
【００３３】
制御部５９は、チャンネルの切り替えが入力されたと判断すると、チューナ４５を選局チャンネルに対応する放送信号を受信するように設定中に、チャンネル切り替え後の映像情報および音声情報をそれぞれ映像処理部５５および音声処理部５７が出力形式に変換して出力するまで、映像処理部５５および音声処理部５７は、バッファメモリに残っているチャンネル切り替え前の映像情報および音声情報を映像表示器１４およびスピーカ１５に出力する（ステップＳ１０１）。
【００３４】
映像処理部５５および音声処理部５７がバッファメモリに残っている映像情報および音声情報をすべて出力した場合は（ステップＳ１０１、ＹＥＳ）、映像表示器１４およびスピーカ１５からの出力をミュートする（ステップＳ１０２）。映像処理部５５および音声処理部５７が映像情報および音声情報がバッファメモリに残っている場合は（ステップＳ１０１、ＮＯ）、映像表示器１４およびスピーカ１５から映像情報および音声情報を出力し続ける。
【００３５】
制御部５９が、チューナ４５の選局チャンネルに対応する放送信号を受信するチャンネル切り替えが完了したと判断すると（ステップＳ１０３）、制御部５９は、ＰＡＴ・ＰＭＴの取得を開始する（ステップＳ１０４）。つまり、制御部５９は、ＰＡＴで指定されたチャンネルの情報を載せるテーブルであるＰＭＴのＰＩＤを指定することで、チューナ４５で送信されてくるＰＡＴ・ＰＭＴを取得開始するように制御する。
【００３６】
ＰＡＴ・ＰＭＴの取得中に、チャンネル切り替え後の映像情報および音声情報をそれぞれ映像処理部５５および音声処理部５７で出力形式に変換して出力するまで、映像処理部５５および音声処理部５７は、チャンネル切り替え前の映像情報および音声情報がバッファメモリに残っている場合、映像表示器１４およびスピーカ１５に出力する（ステップＳ１０５）。
【００３７】
映像処理部５５および音声処理部５７がバッファメモリに残っている映像情報および音声情報をすべて出力し終わった場合は（ステップＳ１０５、ＹＥＳ）、映像表示器１４およびスピーカ１５による出力をミュートする（ステップＳ１０６）。映像処理部５５および音声処理部５７が映像情報および音声情報がバッファメモリに残っている場合は（ステップＳ１０５、ＮＯ）、映像表示器１４およびスピーカ１５から映像情報および音声情報を出力し続ける。
【００３８】
制御部５９が、選局チャンネルに対応するＰＡＴ・ＰＭＴの取得が完了したと判断すると（ステップＳ１０７）、制御部５９は、映像処理部５５および音声処理部５７に対してバッファメモリに映像情報および音声情報が残っている場合は、映像表示器１４およびスピーカ１５からの出力をミュートするように制御する（ステップＳ１０８）。
【００３９】
制御部５９は、ＰＡＴ・ＰＭＴの取得が完了したと判断すると、チューナ３５を介して新たな選局チャンネルに対応する映像情報及び音声情報を取得する（ステップＳ１０９）。
【００４０】
そして、チューナ４５で選局された放送信号は、ＰＳＫ復調器４６に供給されて、デジタルの映像信号及び音声信号に復調された後、信号処理部４７を介して、映像信号は映像処理部５５に、音声情報は音声処理部５７に供給される。制御部５９が、映像処理部５５および音声処理部５７で映像信号および音声信号をスピーカ１５または映像表示器１４から出力可能状態に変換されていれば、映像信号および音声信号を出力する（ステップＳ１１０）。
【００４１】
図３は、上記説明したチャンネル切り替えのタイミングを示した図である。チャンネル切り替えは、チューナの選局チャンネルに対応する放送信号の受信設定をするとともにＰＡＴ・ＰＭＴを取得することで完了する。
【００４２】
ユーザが、現在、テレビジョン受像機１１で受信しているチャンネルから、別のチャンネルへ切り替えたとき、制御部５９は、チューナ４５の選局チャンネルに対応する放送信号の受信設定、ＰＡＴ・ＰＭＴの取得の順序でチャンネルの切り替えをする。
【００４３】
制御部５９は、映像処理部５５のバッファメモリに残っているチャンネル切り替え前の映像情報および音声処理部５７のバッファメモリに残っているチャンネル切り替え前の音声情報を出力するように制御する。
【００４４】
そのため、チャンネル切り替え中に映像情報および音声情報をミュートする期間が期間Ａだけ短くなるため、ユーザは、チャンネル切り替え中の待ち時間を感じることが少なくなる。
【００４５】
また、チャンネル切り替え時間よりも映像処理部５５がチャンネル切り替え前の映像情報を出力する時間（映像処理部５５のバッファメモリに残っている映像情報の時間）が短い場合は、出力した映像情報の最後の映像（静止画）を映像表示器１４に表示し続けるようにしてもよい。
【００４６】
また、チャンネル切り替え時に映像処理部５５がチャンネル切り替え前の映像情報を映像表示器１４に表示するともに、チャンネル切り替え中を示す文字表示をすることもできる。チャンネル切り替え中を示す文字表示をすることで、ユーザは、映像表示器１４にはチャンネル切り替え前の映像情報が表示されているが、チャンネルの切り替え処理が適切になされていることを確認することができる。
【００４７】
また、特に、チャンネル切り替え時間よりも映像処理部５５がチャンネル切り替え前の映像情報を出力する時間が長い場合は、制御部５９は、映像処理部５５に残っているチャンネル切り替え前の映像情報を徐々に画面を暗くするようにフェードアウトさせることもできる。このため、映像表示器１４に表示されている映像情報およびスピーカ１５で出力される音声情報が、急に選局されたチャンネルの映像情報及び音声情報に切り替わることを防ぐことができる。視聴しているユーザも、不快を感じることなく、選局されたチャンネルの番組を視聴し続けられる。
【００４８】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４９】
【図１】本発明の一実施の形態に係るテレビジョン受像機の構成を示すブロック図。
【図２】同実施の形態に係るテレビジョン受像機によるチャンネル切り替えを示すフローチャート。
【図３】同実施の形態に係るテレビジョン受像機によるチャンネル切り替えを示す図。
【符号の説明】
【００５０】
１１…テレビジョン受像機、１４…映像表示器、１６…操作部、１７…リモートコントローラ、１８…受光部、４５…チューナ、５５…映像処理部、５７…音声処理部、５９…制御部。
【図１】
2008311865.tif 000003
【図２】
2008311865.tif 000004
【図３】
2008311865.tif 000005